(57)【要約】【課題】３Ｄ映像の出力時間を通知可能な映像出力装置を提供すること。【解決手段】実施形態の映像出力装置は、カウント手段と、出力手段とを備える。前記カウント手段は、３Ｄ映像出力時間をカウントする。前記出力手段は、３Ｄ映像を出力するとともに、前記３Ｄ映像出力時間を通知するための３Ｄ映像出力時間情報を出力する。【選択図】図６
2012029007.tif 000002
【特許請求の範囲】
【請求項１】
３Ｄ映像出力時間をカウントするカウント手段と、
３Ｄ映像を出力するとともにし、前記３Ｄ映像出力時間を通知するための３Ｄ映像出力時間情報を出力する出力手段と、
を備えた映像出力装置。
【請求項２】
前記出力手段は、３Ｄ映像の所定出力時間毎に、前記３Ｄ映像出力時間情報を出力する請求項１に記載の映像出力装置。
【請求項３】
前記出力手段は、前記３Ｄ映像の出力継続を指定するための継続指定情報、及び前記３Ｄ映像の出力中断を指定するための中断指定情報を出力する請求項１に記載の映像出力装置。
【請求項４】
前記出力手段は、前記３Ｄ映像の所定出力時間毎に、前記３Ｄ映像の出力継続を指定するための継続指定情報、及び前記３Ｄ映像の出力中断を指定するための中断指定情報を出力する請求項２に記載の映像出力装置。
【請求項５】
前記所定出力時間を設定する設定手段を備えた請求項１に記載の映像出力装置。
【請求項６】
前記出力手段は、前記継続指定情報の選択に対応して、前記３Ｄ映像を継続して出力し、前記中断指定情報の選択に対応して、前記３Ｄ映像の出力を中断する請求項４に記載の映像出力装置。
【請求項７】
前記出力手段は、制限時間内に前記継続指定情報又は前記中断指定情報が選択されない場合に、前記３Ｄ映像の出力を中断する請求項６に記載の映像出力装置。
【請求項８】
前記出力手段は、前記３Ｄ映像出力時間と３Ｄ映像出力許容時間とを比較し、比較結果に応じて前記３Ｄ映像の出力を中断する請求項１に記載の映像出力装置。
【請求項９】
前記カウント手段は、前記３Ｄ映像出力時間と３Ｄ映像出力後の２Ｄ映像出力時間との合計時間を前記３Ｄ映像出力時間としてカウントする請求項１に記載の映像出力装置。
【請求項１０】
前記カウント手段は、前記３Ｄ映像の第１の出力期間と前記３Ｄ映像の第２の出力期間との間の２Ｄ映像の第３の出力期間が休憩判定基準時間より短い場合には、前記第１、第２、及び第３の出力期間の合計時間を前記３Ｄ映像出力時間としてカウントし、前記第３の出力期間が休憩判定基準時間以上の場合には、前記第１及び第２の出力期間の合計時間を前記３Ｄ映像出力時間としてカウントする請求項１に記載の映像出力装置。
【請求項１１】
前記カウント手段は、チャンネル切り換え操作に対応して、前記３Ｄ映像出力時間をリセットする請求項１に記載の映像出力装置。
【請求項１２】
３Ｄ映像を出力し、
３Ｄ映像出力時間をカウントし、
前記３Ｄ映像出力時間を通知するための３Ｄ映像出力時間情報を出力する映像出力方法。
【発明の詳細な説明】
【技術分野】
【０００１】
本発明の実施形態は、映像を出力する映像出力装置及び映像出力方法に関する。
【背景技術】
【０００２】
これまでに、３Ｄ（3-dimensional image）映像を表示するための様々な技術が開示され、実用化されているが、３Ｄ映像の明るさ及び解像度などが、２Ｄ（2-dimensional image）映像の明るさ及び解像度と比べて劣っていたため、これまで３Ｄテレビはそれほど普及してこなかった。
【０００３】
ところが、近年では、ＢＤ（Blu-ray）（登録商標）のような大容量光ディスクの登場、及びフルＨＤテレビの普及により、フレームシーケンシャル方式などによる高画質な３Ｄ映像の再生が可能になっている。従って、今後は３Ｄテレビが飛躍的に普及することが考えられる。
【先行技術文献】
【特許文献】
【０００４】
【特許文献１】特開２００４−２４８１０６号公報
【発明の概要】
【発明が解決しようとする課題】
【０００５】
３Ｄ映像は、２Ｄ映像に比べて、視聴者の目を疲労させることが知られており、また、３Ｄ映像は、子供の視覚機能の発達に悪影響を及ぼす可能性があることが知られている。
【０００６】
しかしながら、このような３Ｄ映像による弊害を防止するための技術は不十分な状態である。
【０００７】
本発明の目的は、３Ｄ映像の出力時間を通知可能な映像出力装置及び映像出力方法を提供することにある。
【課題を解決するための手段】
【０００８】
実施形態の映像出力装置は、カウント手段と、出力手段とを備える。前記カウント手段は、３Ｄ映像出力時間をカウントする。前記出力手段は、３Ｄ映像を出力するとともに、前記３Ｄ映像出力時間を通知するための３Ｄ映像出力時間情報を出力する。
【図面の簡単な説明】
【０００９】
【図１】第１〜第３の実施形態に共通のデジタルテレビジョン放送受信装置（映像出力装置）の構成の一例を示す図である。
【図２】３Ｄ映像出力時間の設定処理の一例を示すフローチャートである。
【図３】３Ｄ映像出力時間の通知処理の一例を示すフローチャートである。
【図４】設定メニュー画面の一例を示す図である。
【図５】３Ｄ映像出力設定画面の一例を示す図である。
【図６】案内画面（警告画面）の一例を示す図である。
【図７】３Ｄ映像出力時間のカウント方法を説明するための図である。
【発明を実施するための形態】
【００１０】
以下、第１〜第３の実施形態について図面を参照して説明する。
【００１１】
図１は、第１〜第３の実施形態に共通のデジタルテレビジョン放送受信装置（映像出力装置）の構成の一例を示す図である。第１〜第３の実施形態では、デジタルテレビジョン放送受信装置による映像出力（制御）について説明する。しかしながら、デジタルテレビジョン放送受信装置による映像出力（制御）に限定されるものではない。例えば、ＨＤＤレコーダ、ＢＤ（Blu-ray）（登録商標）レコーダ、及びＤＶＤレコーダ等の番組録画装置により以下説明する映像出力（制御）を実現することも可能である。
【００１２】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９ａ、４９ｂに供給され、チューナ４９ａ、４９ｂが指定されたチャンネルの放送信号を選択する。なお、デジタルテレビジョン放送受信装置１００は、衛星デジタル放送用のチューナ４９ａ、４９ｂを備えることにより、最大２チャンネルの衛星デジタル放送信号を同時に選択することができる。図１に示すように、デジタルテレビジョン放送受信装置１００が、衛星デジタル放送用のチューナを二つ備えるケースについて説明するが、衛星デジタル放送用のチューナを三つ以上備える構成としてもよい。
【００１３】
そして、このチューナ４９ａ、４９ｂで選択された放送信号は、ＰＳＫ（phase shift keying）復調モジュール５０ａ、５０ｂに供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４ａ、５４ｂに供給され、チューナ５４ａ、５４ｂは指定されたチャンネルの放送信号を選択する。なお、デジタルテレビジョン放送受信装置１００は、地上デジタル放送用のチューナ５４ａ、５４ｂを備えることにより、最大２チャンネルの地上デジタル放送信号を同時に選択することができる。図１に示すように、デジタルテレビジョン放送受信装置１００が、地上デジタル放送用のチューナを二つ備えるケースについて説明するが、地上デジタル放送用のチューナを三つ以上備える構成としてもよい。
【００１５】
そして、このチューナ５４ａ、５４ｂで選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２３】
なお、デジタルテレビジョン受像機１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２４】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００２６】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００２７】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。ＬＡＮ対応機器としては、例えばＮＡＳ（Network Attached Storage）１０３が挙げられる。
【００２８】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００２９】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。ＵＳＢ対応機器としては、例えばＵＳＢ−ＨＤＤ１０２が挙げられる。
【００３０】
さらに、上記制御モジュール６５は、ｉ．Ｌｉｎｋ Ｉ／Ｆ７７を介してｉ．Ｌｉｎｋ端子２５と接続されている。これにより、制御モジュール６５は、ｉ．Ｌｉｎｋ端子２５に接続されたｉ．Ｌｉｎｋ対応機器と、ｉ．Ｌｉｎｋ Ｉ／Ｆ７７を介して情報伝送を行なうことができる。ｉ．Ｌｉｎｋ対応機器としては、ｉ．Ｌｉｎｋ−ＨＤＤ１０４が挙げられる。
【００３１】
さらに、上記制御モジュール６５は、不揮発性メモリ６８に記憶された録画予約リストに含まれた録画予約情報を参照し、録画動作を制御する。録画先としては、例えば内蔵ＨＤＤ１０１、ＵＳＢ−ＨＤＤ１０２、ＮＡＳ１０３、ｉ．ＬＩＮＫ−ＨＤＤ１０４がある。
【００３２】
続いて、デジタルテレビジョン放送受信装置１００の３Ｄ映像出力及び２Ｄ映像出力について説明する。
【００３３】
デジタルテレビジョン放送受信装置１００の信号処理モジュール５１は、３Ｄ処理モジュール５１１を備え、デジタルテレビジョン放送受信装置１００は、３Ｄ処理モジュール５１１により３Ｄ映像を提供可能に構成されている。
【００３４】
例えば、デジタルテレビジョン放送受信装置１００は、時分割方式により３Ｄ映像を表示する。時分割方式とは、アクティブ方式の液晶シャッターメガネと高速駆動ディスプレイとを組み合わせて、３Ｄ映像を表示又は見せる方式である。
【００３５】
つまり、デジタルテレビジョン放送受信装置１００は、時分割方式に対応した３Ｄ映像を表示することができる。即ち、３Ｄ処理モジュール５１１は、３Ｄ映像信号に含まれた右目用、左目用の映像を１フレームごとに切り換えて出力し、これに対応し、映像表示器１４（高速駆動ディスプレイ）は、右目用、左目用の映像を１フレームごとに切り換えて表示する。
【００３６】
ユーザは、アクティブ方式の液晶シャッターメガネをかけて、３Ｄ映像を視ることができる。つまり、液晶シャッターメガネは、１フレームごとの右目用、左目用の映像切り換えに対応して、右目用のシャッターと左目用のシャッターとを交互に閉ざして、右目には右目用の映像、左目には左目の映像を見せる。
【００３７】
上記では、時分割方式による３Ｄ映像表示の一例について説明したが、その他の３Ｄ表示方式を適用することも可能であり、例えば、裸眼で見ることができる３Ｄ映像の表示方式を適用することも可能である。
【００３８】
また、３Ｄ処理モジュール５１１は、２Ｄ映像信号を３Ｄ映像信号へ変換する３Ｄ変換処理を実行し、２Ｄ映像信号に基づき３Ｄ映像を提供することもできる。
【００３９】
さらに、デジタルテレビジョン放送受信装置１００の信号処理モジュール５１は、２Ｄ処理モジュール５１２を備え、デジタルテレビジョン放送受信装置１００は、２Ｄ処理モジュール５１２により２Ｄ映像を提供可能に構成されている。例えば、２Ｄ処理モジュール５１２は、３Ｄ映像信号を２Ｄ映像信号へ変換する２Ｄ変換処理を実行し、３Ｄ映像信号に基づき２Ｄ映像を提供することができる。
【００４０】
以上により、デジタルテレビジョン放送受信装置１００は、３Ｄ映像信号に基づき３Ｄ映像を提供すること、３Ｄ映像信号に基づき２Ｄ映像を提供すること、２Ｄ映像信号に基づき３Ｄ映像を提供すること、及び２Ｄ映像信号に基づき２Ｄ映像を提供することができる。
【００４１】
なお、３Ｄ処理モジュール５１１における３Ｄ変換処理、及び２Ｄ処理モジュール５１２における２Ｄ変換処理には、例えば、特開２００６−１２１５５３号公報に開示された２Ｄ変換処理及び３Ｄ変換処理を適用することができる。
【００４２】
次に、図２、図３に示すフローチャートと、図４〜図６に示す画面の表示例を参照し、デジタルテレビジョン放送受信装置による映像出力（制御）の一例について説明する。
【００４３】
（第１の実施形態）
デジタルテレビジョン放送受信装置１００の制御モジュール６５は、３Ｄ映像の出力を制御し、３Ｄ映像出力時間をカウントし、３Ｄ映像出力時間を通知するための３Ｄ映像出力時間情報を出力するように制御する。これに対応して、映像処理モジュール６２は、３Ｄ映像を出力し、３Ｄ映像出力時間情報を出力する。例えば、制御モジュール６５は、３Ｄ映像の所定出力時間毎（例えば３Ｄ映像を３０分出力する毎）に、３Ｄ映像出力時間情報を出力するように制御する。これに対応して、映像処理モジュール６２は、３Ｄ映像の所定出力時間毎（例えば３Ｄ映像を３０分出力する毎）に、３Ｄ映像出力時間情報を出力する。
【００４４】
例えば、ユーザが、リモートコントローラ１７等を介して、所定チャンネル（３Ｄ映像の番組）を指定した場合、チューナ５４ａ等は、放送信号から所定チャンネルの信号を選択する。これに対応して、制御モジュール６５は、所定チャンネルの信号の３Ｄ映像を出力するように制御するとともに、３Ｄ映像出力時間をカウントし、３Ｄ映像の所定出力時間毎（例えば３Ｄ映像を３０分出力する毎）に、３Ｄ映像出力時間情報を出力するように制御する。これに対応して、映像処理モジュール６２は、所定チャンネルの信号の３Ｄ映像を出力し、３Ｄ映像の所定出力時間毎（例えば３Ｄ映像を３０分出力する毎）に、３Ｄ映像出力時間情報を出力する。これにより、映像表示器１４は、３Ｄ映像を表示するとともに、３Ｄ映像の所定出力時間毎に、３Ｄ映像出力時間情報を表示する。例えば、映像表示器１４は、３Ｄ映像を３０分出力する毎に、「３Ｄ映像を３０分視聴しました。３Ｄ映像の視聴を継続しますか。ＹＥＳ／ＮＯ」を表示する。
【００４５】
ユーザは、リモートコントローラ１７等を介して、ＹＥＳを選択することができ、制御モジュール６５は、ＹＥＳの選択に対応して、引き続き、３Ｄ映像の出力を制御するとともに、３Ｄ映像出力時間のカウントを継続する。また、ユーザは、リモートコントローラ１７等を介して、ＮＯを選択することができ、制御モジュール６５は、ＮＯの選択に対応して、３Ｄ映像の出力を停止するとともに、３Ｄ映像出力時間のカウント値をリセットする。
【００４６】
以下、３Ｄ映像出力時間の通知処理について詳しく説明する。
【００４７】
最初に、図２を参照し、３Ｄ映像出力時間の設定処理の一例について説明する。
【００４８】
ユーザは、例えばリモートコントローラ１７に設けられた設定メニューキーを介して、設定メニューの表示を指示することができる。リモートコントローラ１７は、設定メニューキーの押下に対応して、設定メニューの表示を要求する（ＳＴ１０１、ＹＥＳ）。制御モジュール６５は、受光モジュール１８を介して、設定メニューの表示要求を受け取り、設定メニューの表示を制御する。これに対応して、映像表示器１４は、図４に示すような設定メニューを表示する（ＳＴ１０２）。
【００４９】
続いて、ユーザは、リモートコントローラ１７に設けられた方向キー及び決定キーを介して、設定メニュー上から、３Ｄ映像出力設定の項目を選択することができる。リモートコントローラ１７は、方向キー及び決定キーの押下に対応して、３Ｄ映像出力設定の項目選択を要求する（ＳＴ１０３、ＹＥＳ）。制御モジュール６５は、受光モジュール１８を介して、３Ｄ映像出力設定の項目選択の要求を受け取り、３Ｄ映像出力設定画面の表示を制御する。これに対応して、映像表示器１４は、図５に示すような３Ｄ映像出力設定画面を表示する。
【００５０】
例えば、図５に示すように、３Ｄ映像出力設定画面には、「３Ｄ映像出力時間を表示する、ＹＥＳ／ＮＯ」が表示される。ユーザが、リモートコントローラ１７に設けられた方向キー及び決定キーを介して、３Ｄ映像出力設定画面上で「ＹＥＳ」を選択すると、制御モジュール６５は、「ＹＥＳ」の選択を検出し、３Ｄ映像出力時間の表示間隔の入力を要求する。これにより、３Ｄ映像出力設定画面上で、３Ｄ映像出力時間の表示間隔の入力が可能な状態となる。
【００５１】
ユーザは、リモートコントローラ１７に設けられたテンキー及び決定キーを介して、３Ｄ映像出力時間の表示間隔（例えば３０分）を入力し、「確定」を選択すると、制御モジュール６５は、３Ｄ映像出力時間の表示間隔を設定する（ＳＴ１０４）。例えば、不揮発性メモリ６８が、３Ｄ映像出力時間の表示間隔を記憶する。
【００５２】
さらに、図５に示すように、３Ｄ映像出力設定画面には、「３Ｄ映像出力許容時間を設定する、ＹＥＳ／ＮＯ」を表示するようにしてもよい。ユーザが、リモートコントローラ１７に設けられた方向キー及び決定キーを介して、３Ｄ映像出力設定画面上で「ＹＥＳ」を選択すると、制御モジュール６５は、「ＹＥＳ」の選択を検出し、３Ｄ映像出力許容時間の入力を要求する。これにより、３Ｄ映像出力設定画面上で、３Ｄ映像出力許容時間の入力が可能な状態となる。
【００５３】
ユーザは、リモートコントローラ１７に設けられたテンキー及び決定キーを介して、３Ｄ映像出力許容時間（例えば２時間００分）を入力し、「確定」を選択すると、制御モジュール６５は、３Ｄ映像出力許容時間を設定する（ＳＴ１０４）。例えば、不揮発性メモリ６８が、３Ｄ映像出力許容時間を記憶する。
【００５４】
次に、図３を参照し、３Ｄ映像出力時間の通知処理の一例について説明する。
【００５５】
上記説明したように、３Ｄ映像出力時間の通知設定が完了した状態で（ＳＴ２０１、ＹＥＳ）、信号処理モジュール５１が、入力信号から３Ｄ映像であることを示す３Ｄ情報（３Ｄフラグ）を検出すると（ＳＴ２０２、ＹＥＳ）、制御モジュール６５は、３Ｄ映像を出力するように制御するとともに、３Ｄ映像出力時間のカウントをスタートする（ＳＴ２０５）。これに対応して、映像処理モジュール６２は、３Ｄ映像を出力し、映像表示器１４は、３Ｄ映像を表示する。
【００５６】
なお、信号処理モジュール５１は、入力信号から３Ｄ情報が検出できなくとも、入力信号を解析し、入力信号が３Ｄ映像の信号か否かを検出することができる。例えば、上記説明したように、３Ｄ映像信号は、右目用、左目用の映像信号により構成されており、信号処理モジュール５１は、入力信号からこのような構成の映像信号を検出することにより、入力信号が３Ｄ映像信号に対応しているか否かを判断することができる。信号処理モジュール５１が、入力信号が３Ｄ映像信号に対応していると判断すれば、制御モジュール６５は、３Ｄ映像を出力するように制御するとともに、３Ｄ映像出力時間のカウントをスタートする（ＳＴ２０５）。
【００５７】
或いは、３Ｄ映像出力時間の通知設定が完了した状態で（ＳＴ２０１、ＹＥＳ）、リモートコントローラ１７に設けられた３Ｄキーの押下に対応して、リモートコントローラ１７から３Ｄ映像の出力が要求されると（ＳＴ２０３、ＹＥＳ）、制御モジュール６５は、この３Ｄ映像の出力要求を検出し、３Ｄ映像を出力するように制御するとともに、３Ｄ映像出力時間のカウントをスタートする（ＳＴ２０５）。
【００５８】
３Ｄ情報（３Ｄフラグ）が検出されず（ＳＴ２０２、ＮＯ）、３Ｄ映像の出力も要求されなければ（ＳＴ２０３、ＮＯ）、例えば、映像表示器１４は、２Ｄ映像を表示する（ＳＴ２０４）。
【００５９】
３Ｄ映像出力時間のカウントがスタートし（ＳＴ２０５）、制御モジュール６５が、３Ｄ映像出力時間のカウントリセット条件に該当しないことを確認し（ＳＴ２０６、ＹＥＳ）、さらに、３Ｄ映像出力時間が３Ｄ映像出力許容時間（ＳＴ１０４で設定済み）に到達していないことを確認すると（ＳＴ２０８、ＹＥＳ）、３Ｄ映像出力時間のカウントを継続する。
【００６０】
カウントリセット条件とは、例えば、制御モジュール６５は、３Ｄ映像出力から２Ｄ映像出力への切り換えを検出である。よって、制御モジュール６５は、３Ｄ映像出力から２Ｄ映像出力への切り換えを検出すると（ＳＴ２０６、ＹＥＳ）、３Ｄ映像出力時間のカウント値をリセットする（ＳＴ２０７）。
【００６１】
なお、制御モジュール６５が、３Ｄ映像出力時間が３Ｄ映像出力許容時間に到達したことを検出すると（ＳＴ２０８、ＮＯ）、３Ｄ映像の出力を中断するように制御し（ＳＴ２１４）、３Ｄ映像出力時間のカウント値をリセットする。
【００６２】
制御モジュール６５が、３Ｄ映像の出力を開始してから一定時間（ＳＴ１０４で設定した表示間隔に相当）の経過を検出すると（ＳＴ２０９、ＹＥＳ）、図６に示すような案内画面（警告画面）を出力するように制御する。これに対応して、映像処理モジュール６２は、案内画面（警告画面）を出力し、映像表示器１４は、図６に示すような案内画面を表示する。図６に示すように、案内画面には、例えば「３Ｄ映像を３０分視聴しました。３Ｄ映像出力を継続する／中断する。」などの情報が表示される。
【００６３】
ユーザは、リモートコントローラ１７に設けられた方向キー及び決定キーを介して、
「継続する」を選択すると（ＳＴ２１１、ＹＥＳ）、制御モジュール６５は、３Ｄ映像の出力を継続して制御するとともに、３Ｄ映像出力時間のカウントを継続する。これに対応して、映像処理モジュール６２は、３Ｄ映像の出力を継続する。その後、ＳＴ２０６以降の処理に続く。
【００６４】
ユーザは、リモートコントローラ１７に設けられた方向キー及び決定キーを介して、
「中断する」を選択すると（ＳＴ２１２、ＹＥＳ）、制御モジュール６５は、３Ｄ映像の出力を中断するように制御し、映像処理モジュール６２は、３Ｄ映像の出力を中断する（ＳＴ２１４）。この場合、制御モジュール６５は、例えば、３Ｄ映像出力時間のカウント値をリセットする。
【００６５】
「継続する」及び「中断する」の何れも選択されず、制御モジュール６５が、項目選択のタイムオーバを検出すると（ＳＴ２１３、ＹＥＳ）、３Ｄ映像の出力を中断するように制御し、映像処理モジュール６２は、３Ｄ映像の出力を中断する（ＳＴ２１４）。この場合、制御モジュール６５は、例えば、３Ｄ映像出力時間のカウント値をリセットする。
【００６６】
なお、上記説明では、一定時間毎（３Ｄ映像の所定出力時間毎）に、３Ｄ映像出力時間情報を出力（表示）するケースについて説明したが、常時、３Ｄ映像出力時間情報を出力（表示）するようにしてもよい。
【００６７】
（第２の実施形態）
第１の実施形態では、３Ｄ映像出力期間のみを３Ｄ映像出力時間としてカウントするケースについて説明したが、以下に示すカウント方法により、３Ｄ映像出力時間をカウントするようにしてもよい。
【００６８】
＜第１のカウント方法＞
３Ｄ映像出力後に、途中、２Ｄ映像出力期間を挟んだとしても、制御モジュール６５は、２Ｄ映像出力期間も３Ｄ映像出力時間の一部としてカウントする。
【００６９】
図７を参照して、第１のカウント方法の一例について説明する。例えば、図７に示すように、３Ｄ映像出力期間Ｔ１（２０分）、２Ｄ映像出力期間Ｔ２（５分）、３Ｄ映像出力期間Ｔ３（２０分）、２Ｄ映像出力期間Ｔ４（１５分）、及び３Ｄ映像出力期間Ｔ５（２０分）の順に、２Ｄ映像と３Ｄ映像とが出力されたと仮定する。
【００７０】
図７に示すケースでは、制御モジュール６５は、２Ｄ映像出力期間も３Ｄ映像出力時間の一部としてカウントする。よって、制御モジュール６５は、３Ｄ映像出力期間Ｔ１（２０分）、２Ｄ映像出力期間Ｔ２（５分）、３Ｄ映像出力期間Ｔ３（２０分）、２Ｄ映像出力期間Ｔ４（１５分）、及び３Ｄ映像出力期間Ｔ５（２０分）を積算し、３Ｄ映像出力時間（２０分＋５分＋２０分＋１５分＋２０分＝８０分）を算出する。
【００７１】
＜第２のカウント方法＞
３Ｄ映像出力後に、途中、２Ｄ映像出力期間を挟んだ場合であって、２Ｄ映像出力期間が休憩判定時間より短い場合には、制御モジュール６５は、この２Ｄ映像出力期間も３Ｄ映像出力時間の一部としてカウントする。ところが、２Ｄ映像出力期間が休憩判定時間以上の場合には、制御モジュール６５は、この２Ｄ映像出力期間を３Ｄ映像出力時間の一部から除外する。
【００７２】
図７を参照して、第２のカウント方法の一例について説明する。なお、不揮発性メモリ６８が、休憩判定時間１０分を記憶していると仮定する。
【００７３】
図７に示すケースでは、制御モジュール６５は、休憩判定時間１０分に満たない２Ｄ映像出力期間Ｔ２（５分）を３Ｄ映像出力時間の一部としてカウントする。また、制御モジュール６５は、休憩判定時間１０分以上の２Ｄ映像出力期間Ｔ４（１５分）を３Ｄ映像出力時間の一部から除外する。
【００７４】
よって、制御モジュール６５は、３Ｄ映像出力期間Ｔ１（２０分）、２Ｄ映像出力期間Ｔ２（５分）、３Ｄ映像出力期間Ｔ３（２０分）、及び３Ｄ映像出力期間Ｔ５（２０分）を積算し、３Ｄ映像出力時間（２０分＋５分＋２０分＋２０分＝６５分）を算出する。
【００７５】
（第３の実施形態）
第１の実施形態では、３Ｄ映像出力後の２Ｄ映像出力により、３Ｄ映像出力時間のカウント値をリセットするケースについて説明したが、以下に示すリセット方法により、３Ｄ映像出力時間のカウント値をリセットするようにしてもよい。
【００７６】
＜第１のリセット方法＞
制御モジュール６５は、電力ＯＦＦ検出に基づき、３Ｄ映像出力時間のカウント値をリセットする。
【００７７】
＜第２のリセット方法＞
制御モジュール６５は、３Ｄ映像出力時間のカウントを開始してから２４時間（一日）経過したことを検出すると、３Ｄ映像出力時間のカウント値をリセットする。
【００７８】
＜第３のリセット方法＞
制御モジュール６５は、入力切替を検出すると３Ｄ映像出力時間のカウント値をリセットする。
【００７９】
＜第４のリセット方法＞
制御モジュール６５は、チャンネル切替を検出すると３Ｄ映像出力時間のカウント値をリセットする。
【００８０】
＜第５のリセット方法＞
制御モジュール６５は、選択番組（３Ｄ映像の番組）の終了を検出すると３Ｄ映像出力時間のカウント値をリセットする。
【００８１】
＜第６のリセット方法＞
ユーザが、リモートコントローラ等を介して、３Ｄ映像出力時間のカウント値のリセットを指示すると、これに対応して、制御モジュール６５は、３Ｄ映像出力時間のカウント値をリセットする。
【００８２】
上記第１、第２、第３の実施形態に示すように、デジタルテレビジョン放送受信装置１００は、３Ｄ映像出力に対応して、３Ｄ映像出力時間を表示することができる。また、デジタルテレビジョン放送受信装置１００は、３Ｄ映像出力時間とともに、３Ｄ映像の視聴を継続するか否かをユーザに問い合わせることができる。さらに、デジタルテレビジョン放送受信装置１００は、３Ｄ映像の視聴を継続するか否かの問い合わせに対して、ユーザからの入力操作が無い場合には、３Ｄ映像の出力を中断又は停止することができる。これにより、視覚機能の発達段階にある子供が、無断で３Ｄ映像を見続けるような事態を防止することができる。また、ユーザが、３Ｄ映像のゲームや映画などに没頭してしまい、つい３Ｄ視聴を長時間視聴してしまうのを防止することができる。
【００８３】
なお、上記したモジュールとは、ハードウェアで実現するものであっても良いし、ＣＰＵ等を使ってソフトウェアで実現するものであってもよい。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１…デジタルテレビジョン放送受信装置、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…i.Link端子、４７…アンテナ、４８…入力端子、４９ａ、４９ｂ…チューナ、５０ａ、５０ｂ…ＰＳＫ復調モジュール、５１…信号処理モジュール、５２…アンテナ、５３…入力端子、５４ａ、５４ｂ…チューナ、５５ａ、５５ｂ…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ、１０１…内蔵ＨＤＤ、１０２…ＵＳＢ−ＨＤＤ、１０３…ＮＡＳ、１０４…ｉ．ＬＩＮＫ−ＨＤＤ、３Ｄ処理モジュール５１１、２Ｄ処理モジュール５１２
【図１】
2012029007.tif 000003
【図２】
2012029007.tif 000004
【図３】
2012029007.tif 000005
【図４】
2012029007.tif 000006
【図５】
2012029007.tif 000007
【図６】
2012029007.tif 000008
【図７】
2012029007.tif 000009